(57)【特許請求の範囲】
【請求項１】
ウエット又はドライのシートが収納されると共に、前記シートを取り出すシート取り出し口を備えた本体を有し、
前記シート取り出し口は、前記本体の外面に取り付けられたシート状の覆い体で覆われ、
この覆い体は、前記シート取り出し口の周囲に付着し、
前記覆い体の一端部に前記覆い体を挟持し、前記覆い体の厚みより大きい厚みを有する挟持部を備えた取り付け部材が取り付けられ、
この取り付け部材の前記挟持部の外側に指を引っかけるための開口部が前記取り付け部材を貫通して設けられ、
前記取り付け部材は前記本体の外面に付着せずフリーとする
ことを特徴とする包装体。
【発明の詳細な説明】
【技術分野】
【０００１】
本発明は、包装体に係り、特に、シート取り出し口を開閉する覆い体の開動作を容易にした包装体に関する。
【背景技術】
【０００２】
従来、収納したシートを取り出すシート取り出し口と、このシート取り出し口を開閉自在に覆う覆い体とを備えた包装体がある（特許文献１参照）。
【先行技術文献】
【特許文献】
【０００３】
【特許文献１】特許第５６３５３５５号公報
【発明の概要】
【発明が解決しようとする課題】
【０００４】
ところが、上記従来の包装体にあっては、シート取り出し口を開けようとしても、覆い体の厚みが薄いため、覆い体を摘みにくく、特に高齢者にとっては、覆い体の開動作が容易でないという問題点が生じた。
【０００５】
本発明は、上記の点を考慮したなされた包装体を提供することを目的とする。
【課題を解決するための手段】
【０００７】
請求項１記載の包装体は、ウエット又はドライのシートが収納されると共に、前記シートを取り出すシート取り出し口を備えた本体を有し、前記シート取り出し口は、前記本体の外面に取り付けられたシート状の覆い体で覆われ、この覆い体は、前記シート取り出し口の周囲に付着し、前記覆い体の一端部に前記覆い体を挟持し、前記覆い体の厚みより大きい厚みを有する挟持部を備えた取り付け部材が取り付けられ、この取り付け部材の前記挟持部の外側に指を引っかけるための開口部が前記取り付け部材を貫通して設けられ、 前記取り付け部材は前記本体の外面に付着せずフリーとするものである。
【発明の効果】
【００１２】
請求項１記載の包装体によれば、本体には、シートを取り出すシート取り出し口が設けられており、このシート取り出し口は、本体の外面に取り付けられたシート状の覆い体で覆われ、この覆い体は、前記シート取り出し口の周囲に付着し、前記覆い体の一端部に前記覆い体の厚みより大きい厚みを有する取り付け部材が取り付けられ、この取り付け部材に指を引っかけるための開口部が設けられ、前記取り付け部材は前記本体の外面に付着せずフリーとしているため、本体内に収納されたウエット又はドライのシートを取り出すときには、取り付け部材の開口部に指を引っかけたり、又は、取り付け部材を指で摘んで覆い体をはがして、シート取り出し口を開放して、シート取り出し口を介してウエット又はドライのシートを容易に取り出すことができ、特に、高齢者にあっては、好適な包装体となる。
【図面の簡単な説明】
【００１６】
【図１】図１は、本発明の一実施例の包装体の概略的平面図である。
【図２】図２は、図１の包装体の覆い体をはがしている状態の概略的斜視図である。
【図３】図３は、図１の覆い体の概略的分解平面図である。
【図４】図４（ａ）（ｂ）（ｃ）は、図１の覆い体に取り付け部材が取り付けられる状態を段階的に示す概略的断面図である。
【図５】図５（ａ）（ｂ）は、図１の包装体と異なる他の実施例の包装体を示すもので、図５（ａ）は概略的平面図であり、図５（ｂ）は、図５（ａ）の概略的断面図である。
【図６】図６は、図５の包装体と異なる他の実施例の包装体の概略的平面図である。
【図７】図７（ａ）（ｂ）（ｃ）は、図４の包装体の切り込みに指をかける過程を示した概略的断面図である。
【図８】図８（ａ）は、図６の包装体と異なる他の実施例の包装体の概略的断面図であり、図８（ｂ）は、図８（ａ）の包装体と異なる他の実施例の包装体の概略的断面図である。
【発明を実施するための形態】
【００１７】
本発明の一実施例の包装体を図面（図１乃至図４）を参照して説明する。
図１及び図２に示すＨは、ウエット又はドライのシート１１が収納されると共に、シート１１を取り出すシート取り出し口１２を備えた本体１を有する包装体である。
シート取り出し口１２は、本体１の外面に取り付けられたシート状の覆い体２で覆われている。
【００１８】
覆い体２は、シート取り出し口１２の周囲に付着し、外部からの塵等の侵入を防いだり、また、シート１１がウエットの場合、シート１１の乾燥防止を図っている。
覆い体２は、シート取り出し口１２の開閉を繰り返し行うため、例えば、シート取り出し口１２の周囲に対向する覆い体２の裏面の部位に再剥離性の接着剤１３が塗布されている。
なお、再剥離性の接着剤１３は、覆い体２の裏面の部位ではなく、シート取り出し口１２の周囲に塗布されるようにしても良い。
また、覆い体２の一端部２ａには、覆い体２の厚みｔより大きい厚みＴ（Ｔ＞ｔ）を有する取り付け部材３が取り付けられている。
この取り付け部材３は、例えば、合成樹脂で成型され、指を引っかけるための開口部３１が取り付け部材３を貫通して設けられ、取り付け部材３は本体１の外面に付着せずフリーとなっている。
なお、覆い体２の他端部２ｂに近い側に切り込み２ｃ、２ｃが設けられている。これは、覆い体２をはいだときに、覆い体２全体が本体１から離脱させないためのものである。
【００１９】
従って、上述した包装体Ｈによれば、本体１には、シート１１を取り出すシート取り出し口１２が設けられており、このシート取り出し口１２は、本体１の外面に取り付けられたシート状の覆い体２で覆われ、この覆い体２は、シート開口部１２の周囲に付着し、覆い体３の一端部２ａに覆い体３の厚みｔより大きい厚みＴ（Ｔ＞ｔ）を有する取り付け部材３が取り付けられ、この取り付け部材３に指を引っかけるための開口部３１が設けられ、取り付け部材３は本体１の外面に付着せずフリーとしているため、本体１内に収納されたウエット又はドライのシート１１を取り出すときには、図２に示すように、取り付け部材３の開口部３１に指を引っかけたり、又は、取り付け部材３を指で摘んで(図示せず)覆い体２をはがして、シート取り出し口１２を開放して、シート取り出し口１２を介してウエット又はドライのシート１１を容易に取り出すことができ、特に、高齢者にあっては、好適な包装体Ｈとなる。
【００２０】
また、包装体Ｈにあっては、図３及び図４に示すように、取り付け部材３に挟持部３２、３３が設けられ、挟持部３２と挟持部３３でシート状の覆い体２を挟持し、この挟持した状態は、挟持部３２に設けた係止部３４を挟持部３３に設けた被係止部３５に係止させて行うようにしている[図３（ｃ）参照]。
なお、上述した実施例においては（図１乃至図４）、シート状の覆い体２を挟持部３２、３３で挟持したが、本願発明にあっては、これに限らず、例えば、図示しないが、覆い体２に取り付け部材３を接着等により一体的に取り付けても良い。
【００２１】
また、図１乃至図４に示す包装体Ｈにあっては、取り付け部材３に開口部３１を設けるようにしたが、場合により、開口部３１を設けない取り付け部材３としても良い。
即ち、取り付け部材３に開口部３１を設けず、覆い体２の一端部２ａに覆い体２の厚みｔより大きい厚みＴ（Ｔ＞ｔ）を有する取り付け部材３が取り付けられ、この取り付け部材３は本体１の外面に付着せずフリーとし、取り付け部材３を指で摘んで指で摘んで引っ張ることにより、シート開口部１２を開放するようにしても良い。
【００２２】
また、図１乃至図４に示す包装体Ｈにあっては、取り付け部材３に開口部３１を設けるようにしたが、場合により、図５（ａ）（ｂ）に示すように、指を引っかけるための開口部２１を覆い体２の他端部２ｂより一端部２ｂに近い側に設けるようにしても良い。
即ち、図５（ｂ）に示すように、覆い体２の他端部２ｂを本体１の外面に付着し、覆い体２の他端部２ｂより一端部２ａに近い側の部位を本体１の外面に付着せずフリーとし、覆い体２の他端部２ｂより一端部２ａに近い側の部位に、指を引っかけるための開口部２１を設けるようにする。
【００２３】
また、開口部２１は、図５（ａ）（ｂ）に示すものに限らず、図６及び図７（ａ）（ｂ）（ｃ）に示す包装体Ｈでも良い。図６及び図７（ａ）（ｂ）（ｃ）に示す包装体Ｈにあっては、開口部を形成するための切込み２１’でも良い。
即ち、覆い体２の他端部２ｂより一端部２ａに近い側の部位を本体１の外面に付着せずフリーとし、覆い体２の他端部２ｂより一端部２ａに近い側の部位に、指を引っかけるための開口部を形成するための切込み２１’を設けたものである。図６及び図７（ａ）（ｂ）（ｃ）に示すＰは、切込み３１’を識別するための印刷層であり、 図７（ａ）（ｂ）（ｃ）は、切込み２１’によって形成された開口部へ指を引っかける過程を示している。
【００２４】
また、図６及び図７（ａ）（ｂ）（ｃ）において、指を引っかける部位を切込み３１’としたが、本願発明はこれに限らず、図８（ａ）（ｂ）に示すように、覆い体２の一端部２ａを折り返して折り返し部２０を形成するようにしても良い。
図８（ａ）に示す包装体Ｈにおいて、本体１内に収納されたウエット又はドライのシート１１を取り出すときには、一端部２ａに設けた折り返し部２０をそのまま摘めば、折り返した分、摘み易く覆い体２をはがし易くして、シート取り出し口１２を介してウエット又はドライのシート１１を容易に取り出すことができる。
また、図８（ｂ）に示すように、折り返し部２０に指を引っかけるための開口部２１”が折り返し部２０を貫通して設けられるようにしても良い。
【符号の説明】
【００２５】
Ｈ      包装体
１      本体
２      覆い体
３      取り付け部材
２ａ    一端部
１１    シート
１２    シート取り出し口
ｔ      厚み
Ｔ      厚み
【図１】
0006340331.tif 000002
【図２】
0006340331.tif 000003
【図３】
0006340331.tif 000004
【図４】
0006340331.tif 000005
【図５】
0006340331.tif 000006
【図６】
0006340331.tif 000007
【図７】
0006340331.tif 000008
【図８】
0006340331.tif 000009